(57)【要約】      （修正有）【課題】ユーザの怪我やディスクの破損を招くことなく、カートリッジレスのディスクを使用可能とした、小型なディスク装置及び電子機器を提供する。【解決手段】ディスク装置は、装置本体３、ディスク保護カバー４を備える。ディスク保護カバー４は、装置本体３に回転可能に取り付けられ、ディスク５を着脱するときに折り畳まれる折り畳み状態と、ターンテーブルに装着されたディスク５を覆うように円形に展開される展開状態との間で回転する。ディスク保護カバー４は、第１〜第１０カバー片から構成される。第１カバー片２１を回転すると、それに連係して第２〜第９カバー片が回転する。ディスク保護カバー４を展開状態に回転すると、電磁石への給電が開始され、磁力によりディスク保護カバー４が展開状態で固定される。電磁石への給電が開始されると、スピンドルモータが回転可能となる。【選択図】図３
2009157996.tif 000002
【特許請求の範囲】
【請求項１】
ターンテーブルに装着されたディスクを回転させて、ピックアップヘッドでデータの記録／再生を行うディスク装置において、
前記ターンテーブル及びピックアップヘッドが取り付けられた装置本体と、
前記ターンテーブルに装着された前記ディスクを覆うように円形に展開される展開状態と、前記ディスクを前記ターンテーブルに着脱するときに折り畳まれる折り畳み状態とに変位可能なディスク保護カバーとを備えたことを特徴とするディスク装置。
【請求項２】
前記ディスク保護カバーは、前記ターンテーブルのほぼ中心線を回転中心とし、且つ連係して回転する複数のカバー片から構成され、
各カバー片は、前記ディスクの上面を覆う上面部と、前記ディスクの下面を覆う下面部と、前記ディスクの側面を覆う側面部とを備えていることを特徴とする請求項１記載のディスク装置。
【請求項３】
前記ディスク保護カバーは、前記折り畳み状態のときに、前記下面部が前記装置本体に形成された切欠き内に収納されることを特徴とする請求項２記載のディスク装置。
【請求項４】
前記ターンテーブルの上方に配置され、一端が前記装置本体に固定された上カバーを備え、
前記各カバー片の上面部は、前記上カバーの下面に回転可能に取り付けられていることを特徴とする請求項２または３記載のディスク装置。
【請求項５】
前記各カバー片には、突起が形成され、
前記各カバー片が回転するときに、隣接する前記カバー片同士が前記突起で連係して回転することを特徴とする請求項２ないし４いずれか１つ記載のディスク装置。
【請求項６】
前記ディスク保護カバーが前記展開状態に変位したことを検知する展開検知手段と、
前記展開検知手段によって前記展開状態が検知されたときに、前記ターンテーブルを回転可能とする制御手段とを備えたことを特徴とする請求項１ないし５いずれか１つ記載のディスク装置。
【請求項７】
前記ディスク保護カバーを前記展開状態で固定する固定手段を備えたことを特徴とする請求項１ないし６いずれか１つ記載のディスク装置。
【請求項８】
前記ターンテーブルの回転が停止したことを検知する回転停止検知手段を備え、
前記固定手段は、前記回転停止検知手段によって回転停止が検知されたときに、前記ディスク保護カバーの固定を解除することを特徴とする請求項７記載のディスク装置。
【請求項９】
ターンテーブルに装着されたディスクを回転させて、ピックアップヘッドでデータの記録／再生を行うディスク装置を有する電子機器において、
前記ディスク装置が周辺に配置された機器本体と、
前記ターンテーブルに装着された前記ディスクであって前記機器本体から露出した前記ディスクを覆うように円形に展開される展開状態と、前記ディスクを前記ターンテーブルに着脱するときに折り畳まれる折り畳み状態とに変位可能なディスク保護カバーとを備えたことを特徴とする電子機器。
【発明の詳細な説明】
【技術分野】
【０００１】
本発明は、ディスク装置及び電子機器に関するものである。
【背景技術】
【０００２】
ディスク装置は、ターンテーブルに装着されたディスクを回転させながら、ピックアップヘッドを移動して、ディスクにデータを高密度で記録したり、あるいはディスクからデータを読み出しする。このディスク装置は、電子機器、例えばノートパソコン等に内蔵されたり、あるいは外付けされる。ノートパソコンは、携帯されるものであるから、全体を小型化するために、ディスク装置の小型化が求められている。
【０００３】
ディスク装置の小型化を図るために、内蔵タイプでは、例えば、特許文献１に記載されているように、装置本体を直径８ｃｍの小径ディスクに対応したサイズとしたものが知られている。このディスク装置では、直径１２ｃｍの大径ディスクを装填する場合には、大径ディスクの一部が装置本体からはみ出した状態で、ディスク装置及びディスクがノートパソコン内に収納される。
【０００４】
また、外付けタイプのディスク装置では、例えば、特許文献２に記載されているように、ディスクの駆動軸とピックアップヘッドとを有する下部光学ヘッドユニットに、上部光学ヘッドユニットを開閉自在に取り付け、全体をコ字状にしたものが知られている。下部光学ヘッドユニット及び上部光学ヘッドユニットは、ディスクよりもサイズが小さいので、３．５インチのフロッピー（登録商標）ディスクのように、四角形をしたカートリッジ内にディスクを装填したディスクカートリッジが使用される。このカートリッジ内でディスクを回転させることで、ユーザの怪我やディスクの破損を防止している。
【特許文献１】特許第３００３４８１号
【特許文献２】特開平７−１１１０７６号公報
【発明の開示】
【発明が解決しようとする課題】
【０００５】
特許文献１のディスク装置は、ノートパソコン内に出し入れされる装置本体が、ディスクよりもサイズが小さいが、ディスクはノートパソコン内に収納されるものであるから、ノートパソコンの小型化には限度がある。
【０００６】
また、特許文献２のディスク装置は、ユーザの怪我やディスクの破損を防止するために、ディスクをカートリッジで保護した特殊なディスクカートリッジが必要となる。現在市販されているディスクは、ディスクがむき出しのカートリッジレスであるから、このような一般的なディスクには使用することができない。
【０００７】
本発明は、上記課題を解決するためになされたものであり、ユーザの怪我やディスクの破損を招くことなく、カートリッジレスのディスクを使用可能とした、小型なディスク装置及び電子機器を提供することを目的とする。
【課題を解決するための手段】
【０００８】
上記目的を達成するために、本発明のディスク装置は、ターンテーブルに装着されたディスクを回転させて、ピックアップヘッドでデータの記録／再生を行い、前記ターンテーブル及びピックアップヘッドが取り付けられた装置本体と、前記ターンテーブルに装着された前記ディスクを覆うように円形に展開される展開状態と、前記ディスクを前記ターンテーブルに着脱するときに折り畳まれる折り畳み状態とに変位可能なディスク保護カバーとを備えたことを特徴とする。
【０００９】
また、前記ディスク保護カバーは、前記ターンテーブルのほぼ中心線を回転中心とし、且つ連係して回転する複数のカバー片から構成され、各カバー片は、前記ディスクの上面を覆う上面部と、前記ディスクの下面を覆う下面部と、前記ディスクの側面を覆う側面部とを備えていることが好ましい。なお、前記各カバー片を構成する素材としては、ポリカーボネート、ポリビニル・クロライド（塩化ビニル）、ポリイミド、ＡＢＳ樹脂等が挙げられるが、薄板（例えば、厚さ０．２ｍｍ）により構成した場合にも、ディスク装置に振動が加わったときに変形しない素材であれば適宜変更可能である。
【００１０】
さらに、前記ディスク保護カバーは、前記折り畳み状態のときに、前記下面部が前記装置本体に形成された切欠き内に収納されることが好ましい。
【００１１】
また、前記ターンテーブルの上方に配置され、一端が前記装置本体に固定された上カバーを備えることが好ましい。前記各カバー片の上面部は、前記上カバーの下面に回転可能に取り付けられている。
【００１２】
さらに、前記各カバー片には、突起が形成され、前記カバー片が回転するときに、隣接する前記カバー片同士が前記突起で連係して回転することが好ましい。
【００１３】
また、前記ディスク保護カバーが前記展開状態に変位したことを検知する展開検知手段と、前記展開検知手段によって前記展開状態が検知されたときに、前記ターンテーブルを回転可能とする制御手段とを備えることが好ましい。
【００１４】
さらに、前記ディスク保護カバーを前記展開状態で固定する固定手段を備えることが好ましい。
【００１５】
また、前記ターンテーブルの回転が停止したことを検知する回転停止検知手段を備え、前記固定手段は、前記回転停止検知手段によって回転停止が検知されたときに、前記ディスク保護カバーの固定を解除することが好ましい。
【００１６】
さらに、本発明の電子機器は、ターンテーブルに装着されたディスクを回転させて、ピックアップヘッドでデータの記録／再生を行うディスク装置と、前記ディスク装置が周辺に配置された機器本体と、前記ターンテーブルに装着された前記ディスクであって前記機器本体から露出した前記ディスクを覆うように円形に展開される展開状態と、前記ディスクを前記ターンテーブルに着脱するときに折り畳まれる折り畳み状態とに変位可能なディスク保護カバーとを備えたことを特徴とする。なお、前記電子機器としては、パソコン、ＣＤプレイヤ、ＤＶＤプレイヤ等が挙げられる。
【発明の効果】
【００１７】
本発明のディスク装置によれば、ディスクをディスク保護カバーで覆うようにしたから、カートリッジレスのディスクが使用可能であり、また、装置本体をディスクよりも小さくすることができる。さらに、回転中のディスクに触れて怪我をしたり、ディスクが破損したりすることがない。
【００１８】
また、ディスク保護カバーを構成する複数のカバー片は、連係して回転するから、１個のカバー片を回転させるだけで、容易に複数のカバー片を回転させることができる。
【００１９】
さらに、折り畳み状態のときには、ディスク保護カバーの下面部は、装置本体の切欠きに収納されるから、折り畳み状態のときにディスク保護カバーが邪魔になることがない。
【００２０】
本発明の電子機器によれば、ディスクの一部が機器本体から露出した状態で、記録／再生を行うから、電子機器を小型化することができる。また、ディスクはディスク保護カバーで覆われるから、ディスクの破損などを防止することができる。
【発明を実施するための最良の形態】
【００２１】
［第１実施形態］
図１に示すように、ディスク装置２は、装置本体３と、ディスク保護カバー４とを備えている。ディスク５は、中央にディスク孔５ａが形成され、装置本体３とディスク保護カバー４との間にディスク５が挿入される。ディスク装置２は、接続ケーブル６によりノートパソコン７に接続された状態で使用される。
【００２２】
図２に示すように、装置本体３には、ディスク５を回転させるスピンドルモータ１１と、ディスク５にデータの記録／再生を行うピックアップヘッド１２とが組み込まれている。
【００２３】
スピンドルモータ１１の駆動軸には、ディスク５が装着されるターンテーブル１３が固定されている。ターンテーブル１３には、チャッキングヘッド１４が設けられ、ディスク５のディスク孔５ａに挿入される。チャッキングヘッド１４には、バネ付勢された３個のチャッキング爪１４ａが設けられており、ディスク５を着脱可能に係止する。
【００２４】
ピックアップヘッド１２は、装置本体３に形成された開口３ａに挿入され、装置本体３内部に設けられた周知の移動機構によりディスク５の径方向に移動する。
【００２５】
装置本体３の内部には、制御部１５が設けられている。制御部１５は、ノートパソコン７からの指令を受けて、スピンドルモータ１１及びピックアップヘッド１２の駆動を制御する。装置本体３の内部には、停止検知センサ１６が設けられている。停止検知センサ１６は、ターンテーブル１３の回転状態を検知し、回転停止を検知すると、制御部１５に停止検知信号を出力する。
【００２６】
装置本体３の上面には、ディスク装置２の電源をオンする電源ボタン１７と、図３に示す展開状態にあるディスク保護カバー４の固定を解除してディスク５を取り出し可能な状態にする取出ボタン１８とが設けられている。
【００２７】
ディスク保護カバー４は、装置本体３に回転可能に取り付けられ、図１及び図２に示すように、ディスク５をターンテーブル１３に着脱するときに折り畳まれる折り畳み状態と、図３及び図４に示すように、ターンテーブル１３に装着されたディスク５を覆うように円形に展開される展開状態との間で回転（変位）する。折り畳み状態のときには、ディスク保護カバー４の側面及び下面は、装置本体３の側面収納凹部３ｂ及び下面収納凹部（切欠き）３ｃに収納される。ディスク保護カバー４が折り畳み状態にあるときには、ピックアップヘッド１２及びターンテーブル１３の上面は、ディスク保護カバー４により覆われる。
【００２８】
図３及び図５に示すように、ディスク保護カバー４は、複数、例えば１０個のポリカーボネート製の第１〜第１０カバー片２１〜３０から構成されている。各カバー片２１〜３０は、上面部２１ａ〜３０ａ、側面部２１ｂ〜３０ｂ及び下面部２１ｃ〜３０ｃからなり、断面形状がコ字状をしている。第２カバー片２２は第１カバー片２１の内側に配され、第３カバー片２３は第２カバー片２２の内側に配され、同様にして、第４カバー片２４、第５カバー片２５・・・第１０カバー片３０の順に、それぞれ内側に配される。なお、図４においては、第５カバー片２５と第１０カバー片３０との間に配される第６〜第９カバー片２６〜２９を省略している。また、各カバー片２１〜３０を構成するポリカーボネートとしては、透明なものでも不透明なものでもよいが、透明なものから構成した場合には、展開状態のときにディスク５を視認することができる。
【００２９】
各上面部２１ａ〜３０ａには、上取付孔３２が形成されている。各上取付孔３２に上取付ピン３３が挿通され、上取付ピン３３にキャップ３４が係止されると、各上面部２１ａ〜３０ａは、上取付ピン３３を中心にして回転可能となる。
【００３０】
各下面部２１ｃ〜３０ｃには、上取付孔３２と対向する位置に、下取付孔３５が形成されている。各下取付孔３５に、下取付ピン３６が挿入される。図４に示すように、この下取付ピン３６は、装置本体３の本体取付孔３ｄに固定される。各上面部２１ａ〜３０ａは、下取付ピン３６を中心にして回転可能となる。
【００３１】
下取付ピン３６は、ターンテーブル１３の回転軸の中心線上に取り付けられ、各カバー片２１〜３０は、ターンテーブル１３の回転軸を中心にして回転する。
【００３２】
第１カバー片２１には、把手３７が取り付けられている。把手３７を掴んで第１カバー片２１を回転させると、ディスク保護カバー４が回転する。各カバー片２１〜３０は、薄板（例えば、厚さ０．２ｍｍ）により構成されているが、通常の状態では、ディスク装置２に振動が加わっても変形することはない。
【００３３】
図６に示すように、各側面部２２ｂ〜３０ｂには、折畳突起４１と展開突起４２とが形成され、各側面部２１ｂ〜２９ｂには、連係突起４３が形成されている。連係突起４３は、折り畳み状態から展開状態に向けてＡ方向に回転されたときに展開突起４２に当接し、展開状態から折り畳み状態に向けてＢ方向に回転されたときに折畳突起４１に当接する。
【００３４】
図２及び図７に示すように、装置本体３の下面収納凹部３ｃよりも上部分と下部分とは、連結部３ｅで連結されている。図７は、連結部３ｅで切断したときの装置本体３とディスク保護カバー４とを示す上面断面図である。図７（Ａ）に示すように、折り畳み状態のときには、各側面部２１ｂ〜３０ｂは装置本体３の側面収納凹部３ｂに収納され、各下面部２１ｃ〜３０ｃは下面収納凹部３ｃに収納される。図７（Ｂ）に示すように、展開状態のときには、下面部２１ｃは連結部３ｅに隙間なく当接する。第１０カバー片３０は、図７（Ｂ）に示す状態で、装置本体３に固定されている。
【００３５】
連結部３ｅには、ディスク保護カバー４が展開状態であることを検知する展開検知スイッチ４６が取り付けられている。図７（Ｂ）に示すように、ディスク保護カバー４が展開状態まで回転されると、下面部２１ｃにより展開検知スイッチ４６が押圧される。展開検知スイッチ４６は、押圧されたことに応答して、制御部１５に展開完了信号を出力する。
【００３６】
連結部３ｅには、電磁石４７が取り付けられている。電磁石４７は、制御部１５に接続されており、制御部１５から給電されると、磁力を発生し、下面部２１ｃに取り付けられた金属板４８を吸着する。
【００３７】
次に、ディスク装置２の作用について説明する。ディスク装置２を使用するときには、ノートパソコン７に接続する。この状態では、図１に示すように、ディスク保護カバー４は折り畳み状態となっている。ディスク装置２でディスク５に記録／再生を行う場合には、ディスク５を、装置本体３とディスク保護カバー４との間に挿入して、ディスク５のディスク孔５ａをターンテーブル１３に装着する。
【００３８】
次に、ディスク保護カバー４を図３に示す展開状態に回転する。この場合には、図８（Ａ）に示すように、第１カバー片２１をＡ方向に回転する。第１カバー片２１がＡ方向に回転されると、第１カバー片２１の連係突起４３が、第２カバー片２２の展開突起４２に当接する。この状態から、さらに第１カバー片２１がＡ方向に回転されると、それに連係して第２カバー片２２がＡ方向に回転される。
【００３９】
第２カバー片２２がＡ方向に回転されると、第２カバー片２２の連係突起４３が、第３カバー片２３の展開突起４２に当接する。この状態から、さらに第２カバー片２２がＡ方向に回転されると、それに連係して第３カバー片２３が回転される。同様にして、第１カバー片２１がＡ方向に回転されると、それに連係して、第４カバー片２４、第５カバー片２５・・・第９カバー片２９の順にＡ方向に回転される。
【００４０】
ディスク保護カバー４が、図３及び図７（Ｂ）に示すように、展開状態まで回転されると、下面部２１ｃにより展開検知スイッチ４６がオンされ、制御部１５に展開完了信号が入力される。制御部１５は、展開完了信号が入力されたことに応答して、電磁石４７への給電を開始し、電磁石４７への給電を開始した後に、スピンドルモータ１１を回転可能とする。電磁石４７への給電が開始されると、電磁石４７の磁力により、下面部２１ｃに取り付けられた金属板４８が吸着され、ディスク保護カバー４が展開状態で固定される。これにより、ディスク装置２に振動が加わっても、ディスク保護カバー４が折り畳み状態に向けて回転されることがない。
【００４１】
次に、ノートパソコン７を操作して、制御部１５に記録／再生信号を入力する。制御部１５は、展開検知スイッチ４６から展開完了信号が入力されているときに、記録／再生信号が入力されたことに応答して、スピンドルモータ１１を駆動し、ピックアップヘッド１２でディスク５にデータの記録／再生を行う。なお、制御部１５は、展開完了信号が入力されていないときには、記録／再生信号が入力されても、スピンドルモータ１１を駆動しない。これにより、ディスク５がむき出しのままで回転されることがない。
【００４２】
ディスク装置２からディスク５を取り出す場合には、取出ボタン１８を操作する。取出ボタン１８が操作されると、制御部１５に取出信号が入力される。制御部１５は、取出信号が入力されたことに応答して、スピンドルモータ１１の駆動を停止する。スピンドルモータ１１は、駆動停止命令を受けた後も、直ぐには回転が停止せずに、惰性で回転するため、ターンテーブル１３も直ぐには回転停止しない。停止検知センサ１６は、ターンテーブル１３の回転停止を検知すると、制御部１５に停止検知信号を出力する。制御部１５は、取出信号と停止検知信号とが入力されたことに応答して、電磁石４７への給電を停止する。これにより、ディスク５が回転しているときに、ディスク保護カバー４が折り畳み状態に回転されることがない。
【００４３】
電磁石４７への給電が停止されると、金属板４８の吸着が解除され、ディスク保護カバー４の展開状態での固定が解除される。これにより、ディスク保護カバー４の折り畳み状態への回転が可能となる。
【００４４】
次に、ディスク保護カバー４を図１及び図６に示す折り畳み状態に回転する。この場合には、図８（Ｂ）に示すように、第１カバー片２１をＢ方向に回転する。第１カバー片２１がＢ方向に回転されると、第１カバー片２１の連係突起４３が、第２カバー片２２の折畳突起４１に当接する。この状態から、さらに第１カバー片２１がＢ方向に回転されると、それに連係して第２カバー片２２がＢ方向に回転される。同様にして、第１カバー片２１がＢ方向に回転されると、それに連係して、第３カバー片２３、第４カバー片２４・・・第９カバー片２９の順にＢ方向に回転される。ディスク保護カバー４を折り畳み状態まで回転して、ディスク５を取り出す。
【００４５】
［第２実施形態］
図９及び図１０に示す第２実施形態は、装置本体３に上カバー５１を取り付け、これらの間にディスク保護カバー４を設けたものである。なお、第１実施形態のものと同様の構成部材には同一の符号を付し、その詳細な説明を省略する。装置本体３には、ターンテーブル１３の上方に、上カバー５１が取り付けられている。この上カバー５１は、ディスク保護カバー４が折り畳み状態のときの各上面部２１ａ〜３０ａを覆っている。電源ボタン１７及び取出ボタン１８は、上カバー５１に設けられている。なお、上カバー５１を、装置本体３に一体的に形成してもよい。
【００４６】
各上面部２１ａ〜３０ａの上取付孔３２には、各カバー片２１〜３０の回転中心として機能する取付ピン５２が挿入される。この取付ピン５２は、上カバー５１の取付孔５１ａに取り付けられる。この第２実施形態では、各上面部２１ａ〜３０ａは、上カバー５１に回転可能に保持されるから、ディスク保護カバー４の開閉動作が安定する。
【００４７】
また、上カバー５１を、回転可能に装置本体３に取り付けてもよく、この場合には、各ボタン１７，１８が設けられた後端部分を支点（支軸）にして、上カバー５１の先端部分が上方へ回転する。この際、各カバー片２１〜３０の上面部２１ａ〜３０ａ及び側面部２１ｂ〜３０ｂが変形されるが、上カバー５１を下方に回転すると、元の形状に戻る。上カバー５１を回転可能とすると、上カバー５１を上方に回転し、上面部３０ａと装置本体３との隙間を拡げることができ、ディスク５の装着が容易になる。
【００４８】
［第３実施形態］
図１１〜図１３の第３実施形態は、ディスク装置内蔵ノートパソコン（以下、内蔵型ノートパソコンと称する）６０を示す。なお、第１実施形態のものと同様の構成部材には同一の符号を付し、その詳細な説明を省略する。内蔵型ノートパソコン６０は、本体ケース６１を備え、その角部にディスク装置６２が配置されている。本体ケース６１には、収納凹部６１ａが形成され、上段の収納凹部６１ａにディスク５が挿入される。
【００４９】
ディスク装置６２は、ディスク５が装着されるターンテーブル６３と、ディスク５にデータの記録／再生を行うピックアップヘッド６４とを備える。ターンテーブル６３に装着されたディスク５の一部は、本体ケース６１の前面及び側面から露出する。
【００５０】
本体ケース６１の内部には、ディスク装置６２の駆動を制御する制御部６６が設けられている。本体ケース６１には、キーボード６７が設けられ、制御部６６は、キーボード６７の操作により入力された制御信号に基づいて制御を行う。内蔵型ノートパソコン６０には、本体ケース６１を開閉する蓋６８が設けられており、この内側に液晶ディスプレイ６８ａが取り付けられている。
【００５１】
本体ケース６１には、ディスク保護カバー７０が回転可能に取り付けられる。ディスク保護カバー７０は、図１１に示すように、ディスク５をターンテーブル６３に着脱するときに折り畳まれる折り畳み状態と、図１２に示すように、ターンテーブル６３に装着されたディスク５を覆うように円形に展開される展開状態との間で回転する。折り畳み状態のときには、ディスク保護カバー７０は、収納凹部６１ａに収納される。
【００５２】
図１３に示すように、ディスク保護カバー７０は、第１〜第８カバー片７１〜７８から構成され、各カバー片７１〜７８は、上面部７１ａ〜７８ａ、側面部７１ｂ〜７８ｂ及び下面部７１ｃ〜７８ｃからなる。
【００５３】
各カバー片７１〜７８は、第１実施形態の第１〜第１０カバー片２１〜３０と同様の連係構造により連係されており、第１カバー片７１の回転に連係して、第２カバー片７２、第３カバー片７３・・・第７カバー片７７の順に回転される。なお、符号８１，８２は、ディスク保護カバー７０の取り付け用の孔であり、符号８３，８４は、本体ケース６１に取り付けられ、孔８１，８２に挿入されるピンである。第８カバー片７８は、図１２に示す状態で、本体ケース６１に固定されている。
【００５４】
第１カバー片７１には、折り畳み状態のときに本体ケース６１から露出する把手８６が取り付けられている。図１２に示すように、把手８６を掴んで第１カバー片７１をＣ方向に回転させると、ディスク保護カバー７０が展開状態に回転する。展開状態のときには、把手８６は本体ケース６１の側面に当接する。
【００５５】
図１１に示すように、この実施形態においても、ディスク保護カバー７０が展開状態にされたことを検知する展開検知スイッチ９１と、ディスク保護カバー７０を展開状態で固定する電磁石９２と、ターンテーブル６３の回転が停止したことを検知する停止検知センサ９３とが、本体ケース６１に設けられている。また、把手８６には金属板９４が取り付けられている。
【００５６】
次に、内蔵型ノートパソコン６０の作用について説明する。内蔵型ノートパソコン６０を使用する場合には、電源をオンする。この状態では、図１１に示すように、ディスク保護カバー７０は折り畳み状態となっている。ディスク装置６２でディスク５に記録／再生を行う場合には、ディスク５をターンテーブル６３に装着する。
【００５７】
次に、ディスク保護カバー７０を図１２に示す展開状態に回転する。第１実施形態と同様に、第１カバー片７１の回転に連係して各カバー片７２〜７７が回転し、ディスク５を覆う。ディスク保護カバー７０が電磁石９２により展開状態で固定されると、ディスク５が回転可能となる。そして、キーボード６７を操作して、記録／再生を行う。
【００５８】
内蔵型ノートパソコン６０からディスク５を取り出す場合には、キーボード６７を操作して、ディスク保護カバー７０の固定を解除する。固定を解除した後、ディスク保護カバー７０を折り畳み状態に回転して、ディスク５を取り出す。折り畳み状態のときには、ディスク保護カバー７０は、収納凹部６１ａに収納される。なお、取出ボタンを本体ケース６１の側面等に設けて、取出ボタンを操作することにより、ディスク５を取り出すようにしてもよい。
【００５９】
なお、第１〜第３実施形態では、ディスク保護カバー４，７０が、複数のカバー片から構成されているが、蛇腹等を用いてもよい。
【００６０】
また、電子機器として内蔵型ノートパソコン６０を説明し、本体ケース６１にディスク装置６２を取り付けた例について説明したが、本発明は、ＣＤプレイヤやＤＶＤプレイヤ等に実施してもよい。
【００６１】
さらに、電磁石４７，９２によりディスク保護カバー４，７０を展開状態で固定したが、例えば、ソレノイドで開閉される機械式ロック機構を固定手段として用いてもよい。
【００６２】
また、ディスク保護カバー４，７０を、折り畳み状態に向けてバネ等により付勢してもよい。この場合にも、電磁石４７，９２によるディスク保護カバー４，７０の固定は、上記バネの付勢により解除されることはない。さらに、ディスク保護カバー４，７０の回転をモータで行うようにしてもよい。
【図面の簡単な説明】
【００６３】
【図１】本発明を実施したディスク装置とノートパソコンとを示す斜視図である。
【図２】装置本体とディスク保護カバーとを示す分解斜視図である。
【図３】ディスク保護カバーを展開した状態を示す斜視図である。
【図４】ディスク装置の内部構造を示す側面断面図である。
【図５】ディスク保護カバーの分解斜視図である。
【図６】折り畳み状態のときのディスク保護カバーを示す上面断面図である。
【図７】連結部で切断したときの装置本体とディスク保護カバーとを示す上面断面図である。
【図８】第１カバー片を回転させたときのディスク保護カバーを示す上面断面図である。
【図９】上カバーを設けた第２実施形態を示す分解斜視図である。
【図１０】ディスク装置の内部構造を示す側面断面図である。
【図１１】ディスク装置をノートパソコンに内蔵した第３実施形態を示す斜視図である。
【図１２】ディスク保護カバーが展開状態のときの内蔵型ノートパソコンを示す斜視図である。
【図１３】ディスク保護カバーの分解斜視図である。
【符号の説明】
【００６４】
２，６２  ディスク装置
３  装置本体
３ｃ  下面収納凹部（切欠き）
４，７０  ディスク保護カバー
５  ディスク
７  ノートパソコン
１２，６４  ピックアップヘッド
１３，６３  ターンテーブル
１５，６６  制御部
１６，９３  停止検知センサ
２１〜３０，７１〜７８  カバー片
２１ａ〜３０ａ，７１ａ〜７８ａ  上面部
２１ｂ〜３０ｂ，７１ｂ〜７８ｂ  側面部
２１ｃ〜３０ｃ，７１ｃ〜７８ｃ  下面部
４１  折畳突起
４２  展開突起
４３  連係突起
４６，９１  展開検知スイッチ
４７，９２  電磁石
５１  上カバー
６０  内蔵型ノートパソコン
６１  本体ケース
【図１】
2009157996.tif 000003
【図２】
2009157996.tif 000004
【図３】
2009157996.tif 000005
【図４】
2009157996.tif 000006
【図５】
2009157996.tif 000007
【図６】
2009157996.tif 000008
【図７】
2009157996.tif 000009
【図８】
2009157996.tif 000010
【図９】
2009157996.tif 000011
【図１０】
2009157996.tif 000012
【図１１】
2009157996.tif 000013
【図１２】
2009157996.tif 000014
【図１３】
2009157996.tif 000015